(57)【要約】【課題】荷重支持具を固定具に対して係止する場合において、横滑りを防止する物品支持装置を提供する。【解決手段】荷重支持具２の傾斜部２４および傾斜支持部２５および傾斜係止部２６、２７を固定具５の水平係止面５３の下部の所望空間Ｘから抜き差し可能に直線的に挿入した後、荷重支持具２の自重により傾斜支持部２５および傾斜係止部２６、２７の上面２５ｃ、２６ｃ、２７ｃを傾斜状溝５２の上面５２ｃにそれぞれ接触保持させて係止するものである。【選択図】図５
2009108528.tif 000002
【特許請求の範囲】
【請求項１】
荷重を受け略水平に形成された略水平箇所を有する荷重受け部と、上記荷重受け部の一端に連設し水平面から所定の角度を有する傾斜部と、上記傾斜部の他端に水平面から所定の角度を有しかつ断面四角の直柱状に形成されかつ左右直角方向にそれぞれ分岐して連設する傾斜支持部と、上記傾斜支持部の一端または両端に連設し水平面から所定の角度を有しかつ断面四角の直柱状に形成されかつ上記荷重受け部の形成方向の所定の傾け角度に傾けて連設する傾斜係止部とにて成る荷重支持具、
および、略垂直な壁板に固定され、上記荷重支持具の傾斜部および傾斜支持部および傾斜係止部が挿通可能なように、その断面の高さは上記傾斜部および傾斜支持部および傾斜係止部の断面より微小寸法大きく、かつ、幅は上記傾斜支持部および上記傾斜係止部にて成る幅より大きくなる形状に形成され、水平面から所定の傾斜角度をもつ傾斜状溝と、上記傾斜状溝の上面上端から水平方向に延在して所望距離形成された水平係止面とを有するとともに、上記水平係止面の下部に上記荷重支持具の傾斜部および傾斜支持部および傾斜係止部が連続して挿入可能となる所望空間を有する固定具を備え、
上記傾斜部および上記傾斜支持部および上記傾斜係止部を上記固定具の水平係止面の下部の所望空間から抜き差し可能に挿入した後、上記荷重支持具の自重により上記傾斜支持部および上記傾斜係止部の上面を上記傾斜状溝の上面にそれぞれ接触保持させて、上記荷重支持具を上記固定具に対して係止させるようにしたことを特徴とする物品支持装置。
【請求項２】
上記傾斜係止部の軸と上記傾斜支持部の軸とのなす傾き角度が約９０度以内の設定されていることを特徴とする請求項１に記載の物品支持装置。
【請求項３】
上記傾斜係止部の軸と上記傾斜支持部の軸とのなす傾き角度が約４５度に設定されていることを特徴とする請求項２に記載の物品支持装置。
【請求項４】
上記荷重受け部は、一端端部の下面に水平設置面を有し、
上記固定具は、上記傾斜状溝の下面上端から水平方向に延在して所望距離形成され上記荷重受け部の水平設置面に当接する水平支持面を有し、
上記荷重支持具の自重により上記水平設置面を上記水平支持面にそれぞれ接触保持させて、上記荷重支持具を上記固定具に対して係止させるようにしたことを特徴とする請求項１ないし請求項３のいずれか１項に記載の物品支持装置。
【請求項５】
上記傾斜部は、断面四角の直柱状に形成され、
上記荷重支持具の自重により上記傾斜部の上面を上記傾斜状溝の上面に接触保持させて、上記荷重支持具を上記固定具に対して係止させるようにしたことを特徴とする請求項１ないし請求項４のいずれか１項に記載の物品支持装置。
【請求項６】
上記荷重支持具の傾斜支持部は、上記傾斜状溝に挿入したとき上記傾斜支持部の他端（後部）面が上記固定具に当接するように形成されたことを特徴とする請求項１ないし請求項５のいずれか１項に記載の物品支持装置。
【請求項７】
上記荷重支持具の傾斜支持部は、上記傾斜状溝に挿入したとき上記傾斜支持部の他端（後部）面が上記固定具に当接しないように、上記傾斜状溝を貫通形状のものにするか上記傾斜部および上記傾斜支持部の長さを上記傾斜状溝の深さ寸法より短く形成されたことを特徴とする請求項１ないし請求項５のいずれか１項に記載の物品支持装置。
【請求項８】
上記固定具の傾斜状溝の軸と水平線とのなす傾斜角度を約２０度に、上記荷重支持具の傾斜部および傾斜支持部および傾斜係止部の軸と荷重受け部の軸とのなす角度を約１６１度にそれぞれ設定したことを特徴とする請求項１ないし請求項７のいずれか１項に記載の物品支持装置。
【請求項９】
上記固定具の水平係止面の終端面が略垂直の表壁板に設けられた挿入溝に挿通して上記終端面と上記壁板表面とがほぼ同一面となるように取り付けられたことを特徴とする請求項１ないし請求項８のいずれか１項に記載の物品支持装置。
【請求項１０】
荷重を受け略水平に形成された略水平箇所を有する荷重受け部と、上記荷重受け部の一端に連設し水平面から所定の角度を有する傾斜部と、上記傾斜部の他端に水平面から所定の角度を有しかつ断面四角の直柱状に形成されかつ左右直角方向にそれぞれ分岐して連設する傾斜支持部と、上記傾斜支持部の一端または両端に連設し水平面から所定の角度を有しかつ断面四角の直柱状に形成されかつ上記荷重受け部の形成方向の所定の傾け角度に傾けて連設する傾斜係止部とにて成る荷重支持具、
および、略垂直な壁板に固定され、上記荷重支持具の傾斜部および傾斜支持部および傾斜係止部が挿通可能なように、その断面の高さは上記傾斜部および傾斜支持部および傾斜係止部の断面より微小寸法大きく、かつ、幅は上記傾斜支持部および上記傾斜係止部にて成る幅より大きくなる形状に形成され、水平面から所定の傾斜角度をもつ傾斜状溝と、上記傾斜状溝の上面上端から水平方向に延在して所望距離形成された水平係止面とを有するとともに、上記水平係止面の下部に上記荷重支持具の傾斜部および傾斜支持部および傾斜係止部が連続して挿入可能となる所望空間を有する固定具を備える物品支持装置に係る荷重支持具であり、
上記傾斜部および上記傾斜支持部および上記傾斜係止部を上記固定具の水平係止面の下部の所望空間から抜き差し可能に挿入した後、上記荷重支持具の自重により上記傾斜支持部および上記傾斜係止部の上面を上記傾斜状溝の上面にそれぞれ接触保持させて、上記荷重支持具を上記固定具に対して係止させるようにしたことを特徴とする荷重支持具。
【請求項１１】
上記傾斜係止部の軸と上記傾斜支持部の軸とのなす傾き角度が約９０度以内の設定されていることを特徴とする請求項１０に記載の荷重支持具。
【請求項１２】
上記傾斜係止部の軸と上記傾斜支持部の軸とのなす傾き角度が約４５度に設定されていることを特徴とする請求項１１に記載の荷重支持具。
【請求項１３】
上記荷重受け部は、一端端部の下面に水平設置面を有し、
上記固定具は、上記傾斜状溝の下面上端から水平方向に延在して所望距離形成され上記荷重受け部の水平設置面に当接する水平支持面を有し、
上記荷重支持具の自重により上記水平設置面を上記水平支持面にそれぞれ接触保持させて、上記荷重支持具を上記固定具に対して係止させるようにしたことを特徴とする請求項１０ないし請求項１２のいずれか１項に記載の荷重支持具。
【請求項１４】
上記傾斜部は、断面四角の直柱状に形成され、
上記荷重支持具の自重により上記傾斜部の上面を上記傾斜状溝の上面に接触保持させて、上記荷重支持具を上記固定具に対して係止させるようにしたことを特徴とする請求項１０ないし請求項１３のいずれか１項に記載の荷重支持具。
【請求項１５】
上記荷重支持具の傾斜支持部は、上記傾斜状溝に挿入したとき上記傾斜支持部の他端（後部）面が上記固定具に当接するように形成されたことを特徴とする請求項１０ないし請求項１４のいずれか１項に記載の荷重支持具。
【請求項１６】
上記荷重支持具の傾斜支持部は、上記傾斜状溝に挿入したとき上記傾斜支持部の他端（後部）面が上記固定具に当接しないように、上記傾斜状溝を貫通形状のものにするか上記傾斜部および上記傾斜支持部の長さを上記傾斜状溝の深さ寸法より短く形成されたことを特徴とする請求項１０ないし請求項１４のいずれか１項に記載の荷重支持具。
【請求項１７】
上記固定具の傾斜状溝の軸と水平線とのなす傾斜角を約２０度に、上記荷重支持具の傾斜部および傾斜支持部および傾斜係止部の軸と荷重受け部の軸とのなす角度を約１６１度にそれぞれ設定したことを特徴とする請求項１０ないし請求項１６のいずれか１項に記載の荷重支持具。
【発明の詳細な説明】
【技術分野】
【０００１】
この発明は、室内の壁面などに陳列棚やハンガーやパイプを支持する荷重支持具と、この荷重支持具を、壁面の横方向の任意の位置に係止できる溝を有する固定具を備えた物品支持装置に関し、特に美観を損ねることなく、強固に荷重支持具を係止することができるものである。
【背景技術】
【０００２】
従来の物品支持装置および物品支持装置に係る荷重支持具は、物品支持装置は、一端端部の下面に水平設置面を有する荷重受け部と、荷重受け部の一端に連設し断面四角の直柱状に形成され水平面から所定の角度を有する傾斜係止部とにて成る荷重支持具、および略垂直な壁板に固定され、荷重支持具の傾斜係止部が挿通可能なように、その断面の高さは傾斜係止部の断面より微小寸法大きく、かつ、断面の幅は傾斜係止部の断面より大きくなる形状に形成され、水平面から所定の傾斜角度をもつ傾斜状溝と、傾斜状溝の下面上端から水平方向に延在して所望距離形成され荷重受け部の水平設置面に当接する水平支持面とを有するとともに、水平支持面の上部に荷重支持具の水平設置面および傾斜係止部が連続して挿入可能と成る所望空間を有する固定具を備え、傾斜係止部を固定具の水平支持面の上部の所望空間から抜き差し可能に直線的に挿入した後、荷重支持具の自重により傾斜係止部の上面を傾斜状溝の上面に、かつ、水平設置面を水平支持面にそれぞれ接触保持させて、荷重支持具を固定具に対して係止させるようにしたものである。
【０００３】
【特許文献１】特開２００１−３０３７４２号公報
【発明の開示】
【発明が解決しようとする課題】
【０００４】
従来の物品支持装置および物品支持装置に係る荷重支持具は、水平設置面および水平支持面が存在することにより、横滑りを抑制していたが、それでも横滑りを完全に防止することができなく、強固に荷重支持具を係止することができないという問題点があった。
【０００５】
この発明は上記のような課題を解決するために成されたものであり、横滑りを防止し強固に荷重支持具を係止する物品支持装置および物品支持装置に係る荷重支持具を提供することを目的とする。
【課題を解決するための手段】
【０００６】
この発明は、荷重を受け略水平に形成された略水平箇所を有する荷重受け部と、荷重受け部の一端に連設し水平面から所定の角度を有する傾斜部と、傾斜部の他端に水平面から所定の角度を有しかつ断面四角の直柱状に形成されかつ左右直角方向にそれぞれ分岐して連設する傾斜支持部と、傾斜支持部の一端または両端に連設し水平面から所定の角度を有しかつ断面四角の直柱状に形成されかつ荷重受け部の形成方向の所定の傾き角度に傾けて連設する傾斜係止部とにて成る荷重支持具、
および、略垂直な壁板に固定され、荷重支持具の傾斜部および傾斜支持部および傾斜係止部が挿通可能なように、その断面の高さは傾斜部および傾斜支持部および傾斜係止部の断面より微小寸法大きく、かつ、幅は傾斜支持部および傾斜係止部にて成る幅より大きくなる形状に形成され、水平面から所定の傾斜角度をもつ傾斜状溝と、傾斜状溝の上面上端から水平方向に延在して所望距離形成された水平係止面とを有するとともに、水平係止面の下部に荷重支持具の傾斜部および傾斜支持部および傾斜係止部が連続して挿入可能と成る所望空間を有する固定具を備え、
傾斜部および傾斜支持部および傾斜係止部を固定具の水平係止面の下部の所望空間から抜き差し可能に挿入した後、荷重支持具の自重により傾斜支持部および傾斜係止部の上面を傾斜状溝の上面にそれぞれ接触保持させて、荷重支持具を固定具に対して係止させるものである。
【０００７】
またこの発明は、荷重を受け略水平に形成された略水平箇所を有する荷重受け部と、荷重受け部の一端に連設し水平面から所定の角度を有する傾斜部と、傾斜部の他端に水平面から所定の角度を有しかつ断面四角の直柱状に形成されかつ左右直角方向にそれぞれ分岐して連設する傾斜支持部と、傾斜支持部の一端または両端に連設し水平面から所定の角度を有しかつ断面四角の直柱状に形成されかつ荷重受け部の形成方向の所定の傾き角度に傾けて連設する傾斜係止部とにて成る荷重支持具、
および、略垂直な壁板に固定され、荷重支持具の傾斜部および傾斜支持部および傾斜係止部が挿通可能なように、その断面の高さは傾斜部および傾斜支持部および傾斜係止部の断面より微小寸法大きく、かつ、幅は傾斜支持部および傾斜係止部にて成る幅より大きくなる形状に形成され、水平面から所定の傾斜角度をもつ傾斜状溝と、傾斜状溝の上面上端から水平方向に延在して所望距離形成された水平係止面とを有するとともに、水平係止面の下部に荷重支持具の傾斜部および傾斜支持部および傾斜係止部が連続して挿入可能と成る所望空間を有する固定具を備える物品支持装置に係る荷重支持具であり、
傾斜部および傾斜支持部および傾斜係止部を固定具の水平係止面の下部の所望空間から抜き差し可能に挿入した後、荷重支持具の自重により傾斜支持部および傾斜係止部の上面を傾斜状溝の上面にそれぞれ接触保持させて、荷重支持具を固定具に対して係止させるものである。
【発明の効果】
【０００８】
この発明の物品支持装置は、荷重を受け略水平に形成された略水平箇所を有する荷重受け部と、荷重受け部の一端に連設し水平面から所定の角度を有する傾斜部と、傾斜部の他端に水平面から所定の角度を有しかつ断面四角の直柱状に形成されかつ左右直角方向にそれぞれ分岐して連設する傾斜支持部と、傾斜支持部の一端または両端に連設し水平面から所定の角度を有しかつ断面四角の直柱状に形成されかつ荷重受け部の形成方向の所定の傾き角度に傾けて連設する傾斜係止部とにて成る荷重支持具、
および、略垂直な壁板に固定され、荷重支持具の傾斜部および傾斜支持部および傾斜係止部が挿通可能なように、その断面の高さは傾斜部および傾斜支持部および傾斜係止部の断面より微小寸法大きく、かつ、幅は傾斜支持部および傾斜係止部にて成る幅より大きくなる形状に形成され、水平面から所定の傾斜角度をもつ傾斜状溝と、傾斜状溝の上面上端から水平方向に延在して所望距離形成された水平係止面とを有するとともに、水平係止面の下部に荷重支持具の傾斜部および傾斜支持部および傾斜係止部が連続して挿入可能と成る所望空間を有する固定具を備え、
傾斜部および傾斜支持部および傾斜係止部を固定具の水平係止面の下部の所望空間から抜き差し可能に挿入した後、荷重支持具の自重により傾斜支持部および傾斜係止部の上面を傾斜状溝の上面にそれぞれ接触保持させて、荷重支持具を固定具に対して係止させるので、横滑りを防止し強固に荷重支持具を係止する。
【０００９】
また、この発明の物品支持装置に係る荷重支持具は、荷重を受け略水平に形成された略水平箇所を有する荷重受け部と、荷重受け部の一端に連設し水平面から所定の角度を有する傾斜部と、傾斜部の他端に水平面から所定の角度を有しかつ断面四角の直柱状に形成されかつ左右直角方向にそれぞれ分岐して連設する傾斜支持部と、傾斜支持部の一端または両端に連設し水平面から所定の角度を有しかつ断面四角の直柱状に形成されかつ荷重受け部の形成方向の所定の傾き角度に傾けて連設する傾斜係止部とにて成る荷重支持具、
および、略垂直な壁板に固定され、荷重支持具の傾斜部および傾斜支持部および傾斜係止部が挿通可能なように、その断面の高さは傾斜部および傾斜支持部および傾斜係止部の断面より微小寸法大きく、かつ、幅は傾斜支持部および傾斜係止部にて成る幅より大きくなる形状に形成され、水平面から所定の傾斜角度をもつ傾斜状溝と、傾斜状溝の上面上端から水平方向に延在して所望距離形成された水平係止面とを有するとともに、水平係止面の下部に荷重支持具の傾斜部および傾斜支持部および傾斜係止部が連続して挿入可能と成る所望空間を有する固定具を備える物品支持装置に係る荷重支持具であり、
傾斜部および傾斜支持部および傾斜係止部を固定具の水平係止面の下部の所望空間から抜き差し可能に挿入した後、荷重支持具の自重により傾斜支持部および傾斜係止部の上面を傾斜状溝の上面にそれぞれ接触保持させて、荷重支持具を固定具に対して係止させるので、横滑りを防止し強固に荷重支持具を係止する。
【発明を実施するための最良の形態】
【００１０】
実施の形態１．
以下、本願発明の実施の形態について説明する。図１はこの発明の実施の形態１の物品支持装置の固定具の構成を示した側面図、図２は図１に示した物品支持装置の固定具に挿入する荷重支持具の構成の一部を示した斜視図、図３は図２に示した荷重支持具の構成の一部を示した部分側面図、図４は図２に示した荷重支持具の構成の一部を示した部分上面図、図５は図１に示した物品支持装置の固定具に図２に示した荷重支持具を差し込んだ物品支持装置の使用状態の構成を示した側面図、図６は物品支持装置の荷重支持具の横滑り防止に対する原理を説明する図、図７は図５に示した物品支持装置の使用例を示した図である。
【００１１】
図において、物品支持装置１は荷重支持具２と固定具５とから構成されている。その荷重支持具２は、荷重としての例えばハンガー７０を受け略水平に形成された略水平箇所２１ａを有する荷重受け部２３と、荷重受け部２３の一端２３ａに連設し水平面から所定の角度θ１を有しかつ断面四角の直柱状に形成された傾斜部２４と、傾斜部２４の他端２４ａに水平面から所定の角度θ１を有しかつ断面四角の直柱状に形成されかつ左右直角方向にそれぞれ分岐して連設する傾斜支持部２５と、傾斜支持部２５の両端２５ａ、２５ｂに連設し水平面から所定の角度θ１を有しかつ断面四角の直柱状に形成されかつ荷重受け部２３の形成方向の所定の傾き角度θ２、θ３に傾けて連設する傾斜係止部２６、２７とをそれぞれ備える。所定の角度θ１は、傾斜部２４および傾斜支持部２５および傾斜係止部２６、２７の軸Ａと荷重受け部２３の軸Ｂ（すなわち水平面からの）との成す角度は約１６１度に設定されている。また、傾き角度θ２、θ３は、傾斜係止部２６、２７の軸Ｃ、Ｄと傾斜支持部の軸Ｅとの成すそれぞれ角度が約４５度に設定されている。さらに、一端２３ａ端部の下面に水平設置面２８を有している。
【００１２】
固定具５は、略垂直な壁板６に支持部５１を介して例えばビス止めされて固定される。そして、荷重支持具２の傾斜部２４および傾斜支持部２５および傾斜係止部２６、２７が挿通可能なように、その断面の高さＨ１は傾斜部２４および傾斜支持部２５および傾斜係止部２６、２７のそれぞれの断面の高さＨ２より微小寸法大きく、かつ、幅Ｈ３は傾斜支持部２５および傾斜係止部２６、２７にて成る幅Ｈ４より大きくなる形状に形成され、水平面から所定の傾斜角度θ４をもつ傾斜状溝５２と、傾斜状溝５２の上面上端５２ａから水平方向に延在して所望距離形成された水平係止面５３を有する水平係止部５８を備えるとともに、水平係止面５３の下部には荷重支持具２の傾斜部２４および傾斜支持部２５および傾斜係止部２６、２７が連続して挿入可能と成る所望空間Ｘを有している。このため、傾斜状溝５２の下面上端５２ｂは、傾斜状溝５２の上面上端５２ａと同一長さにて形成されると、傾斜状溝５２内に荷重支持具２の傾斜部２４および傾斜支持部２５および傾斜係止部２６、２７が連続して挿入することが困難と成るため、傾斜状溝５２の下面上端５２ｂは、傾斜状溝５２の上面上端５２ａより所定距離短く形成されている。そして、傾斜状溝５２の軸Ｆと水平線Ｇとの成す傾斜角度θ４は約２０度に設定されている。
【００１３】
そして、傾斜部２４および傾斜支持部２５および傾斜係止部２６、２７を固定具５の水平係止面５３の下部の所望空間Ｘから抜き差し可能に直線的に挿入した後、荷重支持具２の自重により傾斜部２４の上面２４ｃおよび傾斜支持部２５の上面２５ｃおよび傾斜係止部２６、２７の上面２６ｃ、２７ｃを傾斜状溝５２の上面５２ｃにそれぞれ接触保持させて、かつ、水平設置面２８を水平支持面５４にそれぞれ接触保持させて、荷重支持具２を固定具５に対して係止させている。
【００１４】
また、傾斜部２４を所望空間Ｘから挿入したとき傾斜部２４の他端面２４ｂが固定具５に当接しないように、傾斜状溝５２の深さ寸法は傾斜部２４の長さをより長く形成されている。尚、他の構成例としては、傾斜支持部２５の他端面２５ａが固定具５に当接しないように傾斜状溝を貫通形状にて形成することも考えられる。またさらに、荷重支持具２の傾斜支持部２５は、傾斜状溝５２に挿入したとき傾斜支持部２５の他端（後部）面２５ａが固定具５に当接するように形成する例も考えられる。
【００１５】
そして、傾斜状溝５２の下面上端５２ｂから水平方向に延在して所望距離形成され荷重受け部２３の水平設置面２８に当接する水平支持部面５４を備えた水平支持部５５とを備える。また、固定具５の水平支持部５５および水平係止部５８が挿入可能なように挿入溝６２が形成された表壁板としての化粧板６１を備え、水平支持部５５の終端面５４ａおよび水平係止面５３の終端面５３ａと化粧板６１の表面とがほぼ同一面と成るように、挿入溝６２に水平支持部５５および水平係止部５８が挿入されている。そして化粧板６１はこれら水平支持部５５および水平係止部５８および垂直方向に形成された化粧板支持部５６、５７とにより支持されている。
【００１６】
次に上記のように構成された実施の形態１の物品支持装置の壁板への取り付け方法について説明する。まず、壁板６に固定具５の支持部５１をビス止めして固定する。次に、化粧板６１の挿入溝６２に固定具２５の水平係止面５３および水平支持部５５を挿入させ、化粧板支持部５６、５７に垂直に化粧板６１を支持させ設置する。次に、固定具５の所望空間Ｘに、荷重支持具２の他端２４ａ側から荷重支持具２を傾斜状溝５２の傾斜角度θ４に応じて挿入していき、傾斜状溝５２に傾斜部２４および傾斜支持部２５および傾斜係止部２６、２７を係止させる。そして、荷重支持具２の荷重受け部２３は水平支持部５５上に載置される。また、抜き出す場合は、上記手順と逆の手順により、傾斜状溝５２から傾斜角度θ４に応じて、傾斜状溝５２に挿入されていない荷重支持具２の荷重受け部２３をもって、傾斜部２４および傾斜支持部２５および傾斜係止部２６、２７を引き出す。このように抜き差しすることにより、固定具５２の傾斜状溝５２の任意の箇所に荷重支持具２を設置することができる。
【００１７】
そして、このように係止されると、荷重支持具２の自重により傾斜部２４および傾斜支持部２５および傾斜係止部２６、２７の上面２４ｃ、２５ｃ、２６ｃ、２７ｃが傾斜状溝５２の上面５２ｃに、かつ、水平設置面２８が水平支持面５４にそれぞれ接触保持される。このようにして、荷重支持具２は固定具５に対して強固に係止される。尚、水平設置面２８と水平支持面５４とによる接触保持の原理は先に発明者が発明し先に示した先行文献１におけるものと同様の内容であるためその説明を省略する。
【００１８】
上記のように固定具５に荷重支持具２が係止され固定される場合において、本願発明では荷重支持具２の横滑りがいかに防止されるかについて説明する。従来の物品支持装置は、本願発明における傾斜係止部２６、２７を備えていないものであった。一般的に本願発明の物品支持装置１を設置した場合、荷重支持具２の荷重受け部２３に力が加わり、荷重支持具２が固定具５から不本意に脱落することが考えられる。但し、荷重支持具２に上下方向の力が生じたとしても、固定具５の傾斜状溝５２に荷重支持具２の傾斜部２４および傾斜支持部２５および傾斜係止部２６、２７が挿入されていることにより、固定具５から荷重支持具２が容易に抜け出さないことは、容易に判断されると考える。
【００１９】
そこでここでは、荷重支持具２に横方向力Ｙ、Ｚが生じた場合について説明する。本願発明においては新たに傾斜係止部２６、２７を備えることにより、傾斜状溝５２の上面５２ｃとこの傾斜係止部２６、２７と上面２６ｃ、２７ｃとが当接していることによる摩擦が発生して、荷重支持具２の横方向力ＹまたはＺに対する力に対してずれることを防止している。尚、ここでは傾斜係止部２６、２７は傾き角度θ２、θ３が約４５度にて形成されているため、水平方向以外の様々な横方向に対して摩擦力を得ることができる。
【００２０】
さらに、その力がこの摩擦力以上に達した場合、荷重支持具２が横方向に横滑り（ズレ）しようとする。例えば、横方向力Ｙが過度に加えられた場合（図６（ａ）参照）、傾斜支持部２５の両端２５ａと傾斜状溝５２の上面５２ｃ（または、下面）との接点が支点と成り、荷重支持具２が回転する。そして、荷重支持具２は傾斜係止部２７の両端２５ａと傾斜状溝５２の上面５２ｃとの接点を支点とした移動により傾斜状溝５２をスライドしていき、最終的には、傾斜係止部２７の他端２７ｂが水平係止面５３と傾斜状溝５２との交点である上面上端５２ａに当接する。そして荷重支持具２は、傾斜係止部２７の他端２７ｂは上面上端５２に当接し、その前方に水平係止面５３が形成されていることにより、それ以上は移動しなくなり、荷重支持具２の回転もそれ以上は発生しない。よって、荷重支持具２に横方向Ｙの力が過度に加えられたとしても傾斜係止部２７の他端２７ｂが水平係止面５３（上面上端５２ａ）に当接することにより、荷重支持具２が傾斜状溝５２から脱落することは確実に防止される。
【００２１】
また逆に、横方向力Ｚが過度に加えられた場合（図６（ｂ）参照）、傾斜支持部２５の両端２５ｂと傾斜状溝５２の上面５２ｃ（または、下面）との接点が支点と成り、荷重支持具２が回転する。そして荷重支持具２は、傾斜係止部２６の両端２５ｂと傾斜状溝５２の上面５２ｃとの接点を支点とした移動により傾斜状溝５２をスライドしていき、傾斜係止部２６の他端２６ｂが水平係止面５３と傾斜状溝５２との交点である上面上端５２ａに当接する。そして、荷重支持具２は傾斜係止部２６の他端２６ｂは上面上端５２ａに当接し、最終的には、その前方に水平係止面５３が形成されていることにより、それ以上は移動しなくなり、荷重支持具２の回転もそれ以上は発生しない。よって、荷重支持具２に横方向Ｚの力が過度に加えられたとしても傾斜係止部２６の他端２６ｂが水平係止面５３（上面上端５２ａ）に当接することにより、荷重支持具２が傾斜状溝５２ａから脱落することは確実に防止される。以上のように、本願発明は傾斜係止部２６、２７が水平係止面５３（上面上端５２ａ）に当接することにより、横滑りにおける脱落を確実に防止することができる。
【００２２】
上記のように構成された実施の形態１の物品支持装置および物品支持装置に係る荷重支持具によれば、傾斜係止部が水平係止面に当接することにより、荷重支持具が固定具から横滑りして落下することを防止する。尚、上記実施の形態１においては傾斜係止部を傾斜支持部の両端のいずれにも形成する例を示したが、これに限られることはなく、傾斜支持部の両端のいずれか一方にのみ傾斜係止部を形成しても、傾斜係止部が形成された側とは異なる方向への横方向力に対しては横滑りが防止でき、落下を防止することができることは言うまでもない。また、上記実施の形態１においては傾斜係止部の傾き角度をいずれも同一の角度にて形成する例を示したが、これに限られることはなく、両方の傾き角度が異なるように形成しても、傾斜係止部が傾斜支持部に荷重受け部の形成方向の所定の傾け角度に傾けて連設されて形成されていれば上記実施の形態１と同様に横滑りを防止することが可能であることは言うまでもない。
【００２３】
さらに、傾斜係止部の軸と傾斜支持部の軸とのなす傾き角度が約９０度以内の設定されていることにより、この横滑りを確実に防止することが可能と成る。さらに、当該傾き角度が約４５度に設定することにより、摩擦力を様々な力方向に作用し横滑りを防止することが可能と成る。
【００２４】
さらに、荷重受け部の下面に水平設置面と固定具の水平支持面とを当接させることにより、荷重支持具の自重により水平設置面を水平支持面にそれぞれ接触保持させて、荷重支持具を固定具に対して係止させるため、横滑り防止の効果が向上する。
【００２５】
さらに、傾斜部が断面四角の直柱状に形成され、荷重支持具の自重により傾斜部の上面を傾斜状溝の上面に接触保持させて、荷重支持具を固定具に対して係止させているため、横滑り防止の効果が向上する。
【００２６】
さらに、荷重支持具の傾斜支持部は、傾斜状溝に挿入したとき上記傾斜支持部の他端（後部）面が固定具に当接しないように、傾斜部および傾斜支持部の長さを傾斜状溝の深さ寸法より短く形成されているので、傾斜支持部の上面と傾斜状溝の上面との確実な接触により荷重支持具を固定具に強固に係止することができる。
【００２７】
さらに、固定具の傾斜状溝の軸と水平線との成す傾斜角度を約２０度に、荷重支持具の傾斜部および傾斜支持部および傾斜係止部の軸と荷重受け部の軸との成す角度を約１６１度にそれぞれ設定したので、固定具と荷重支持具との係止を強固にすることができる。
【００２８】
さらに、固定具の水平係止面の終端面が略垂直の壁板に設けられた挿入溝に挿通して上記終端面と上記壁板表面とがほぼ同一面と成るように取り付けられたので、美観に優れた物品支持装置を得ることができる。
【００２９】
尚、上記実施の形態１においては、傾き角度θ２、θ３が、傾斜係止部２６、２７の軸Ｃ、Ｄと傾斜支持部の軸Ｅとの成すそれぞれ角度が約４５度と成るように形成する例を示したが、これに限られることはなく、例えば、図８に示したようにこの傾き角度θ２、θ３が約９０度にて成る傾斜係止部２６０、２７０を備えるようにしても、摩擦力に対する方向性は低減されるものの、水平方向と垂直方向の力に対する摩擦力は向上し、上記実施の形態１と同様の効果を奏することが可能と成る。尚、他の上記実施の形態１と同様の部分は同一符号を付して説明を省略する。また、この傾き角度θ２、θ３は、約９０度以内に設定されていれば、上記実施の形態１と同様の効果を奏することが可能と成る。但し、一般的に荷重支持具２を作成する場合、一つの部材の両端を傾き角度θ２、θ３に折り曲げて傾けることにより傾斜支持部と傾斜係止部とを制作する。よって、この傾き角度θ２、θ３が大きくなると、傾斜支持部の両端に部材の”より”が生じて容易に制作することが困難と成る。そして、この”より”による厚みが生じ、傾斜状溝５２に挿入することが困難と成る可能性がある。この点および横方向の摩擦効果の点から、傾き角度θ２、θ３は約４５度に設定することが最良であると考えられる。
【００３０】
また、上記実施の形態１においては、傾斜部２４を断面四角の直柱状に形成され、一端２３ａの下面に水平設置面２８を有している例を示したが、これに限られることはなく、例えば、図９に示したように、荷重支持具２０は、傾斜部２４０および荷重受け部２３０を傾斜状溝５２の断面の高さより小さく形成された円柱状にて形成したり、図１０に示したように、荷重支持具２００は、傾斜部２４１および荷重受け部２３１を傾斜状溝５２の断面の高さより小さく形成された円柱状にて形成したりすることが可能である。尚、他の上記実施の形態１と同様の部分は同一符号を付して説明を省略する。
【００３１】
このような荷重支持具２０、２００を固定具５に挿入した場合、図１１に示したように（図１１は図９に示した荷重支持具２０を挿入した場合を示しているが、図１０に示した荷重支持具２００を挿入しても同様に構成される。）傾斜部２４０は傾斜状溝５２の上面５２ｃおよび下面とも接することはなく、また、荷重受け部２３０、２３１には水平設置面を備えていないため、水平支持面５４に接することはない。しかしながら、傾斜支持部２５および傾斜係止部２６、２７は上記実施の形態１と同様に形成されているため、横方向力Ｙ、Ｚに対するズレ防止は上記実施の形態１と同様の効果を奏することが可能である。よってこの場合、荷重受け部２３０、２３１は水平設置面を備えていないため、固定具５の水平支持面５４を備えていなくともよい。
【００３２】
また、上記実施の形態１においては、この傾斜状溝の幅方向両端は開放されている例を示しているが、両端を閉塞した形状としてもよく、同様の効果を奏することは言うまでもない。
【００３３】
また、上記実施の形態１にて示した例は固定具に荷重支持具を一つ設置する例を示したがこれに限られることはなく、例えば図１２の物品支持装置の構成に示したように、２本の荷重支持具２（ここでは２本の荷重支持具２を示したがこれに限られることはなく、３本以上の荷重支持具２を設置することが可能であることは言うまでもない。）を固定具５の傾斜状溝５２の異なる箇所にそれぞれ係止させ、その荷重支持具２の荷重受け部２３上に例えば幅広のガラス板６３を載置して棚として使用する方法がある。尚、他の上記実施の形態１と同様の部分は同一符号を付して説明を省略する。
【００３４】
また、図１３の物品支持装置の構成に示したように、２本の荷重支持具２の荷重受け部２３に円柱状にて形成されるカバー部２３２を配設し、これらを一体に固定するハンガーパイプ６４を備えるように構成する。このように形成された、ハンガーパイプ６４にハンガー等をかけて使用することができる。尚、他の上記実施の形態１と同様の部分は同一符号を付して説明を省略する。
【図面の簡単な説明】
【００３５】
【図１】この発明の実施の形態１の物品支持装置における固定具の構成を示した図である。
【図２】図１に示した物品支持装置の固定具に挿入する荷重支持具の構成の一部を示した部分斜視図である。
【図３】図２に示した荷重支持具の構成の一部を示した部分側面図である。
【図４】図２に示した荷重支持具の構成の一部を示した部分上面図である。
【図５】図１に示した物品支持装置の固定具に図２に示した荷重支持具を差し込んだ物品支持装置の使用状態の構成を示した側面図である。
【図６】この発明の実施の形態１の物品支持装置の荷重支持具の横滑り防止に対する原理を説明する図である。
【図７】図５に示した物品支持装置の使用例を示した図である。
【図８】この発明の実施の形態１の物品支持装置における他の荷重支持具の構成の一部を示した部分上面図である。
【図９】この発明の実施の形態１の物品支持装置における他の荷重支持具の構成の一部を示した部分斜視図である。
【図１０】この発明の実施の形態１の物品支持装置における他の荷重支持具の構成を示した部分斜視図である。
【図１１】図１に示した物品支持装置の固定具に図９に示した荷重支持具を差し込んだ物品支持装置の使用状態の構成を示した側面図である。
【図１２】図５に示した物品支持装置の使用例を示した図である。
【図１３】図５に示した物品支持装置の使用例を示した図である。
【符号の説明】
【００３６】
１  物品支持装置、２  荷重支持具、５  固定具、２１ａ  略水平箇所、
２３，２３０，２３１  荷重受け部、２３ａ  一端、２４，２４０，２４１  傾斜部、
２４ａ  他端、２４ｃ，２５ｃ，２６ｃ，２７ｃ，５２ｃ  上面、２５  傾斜支持部、
２５ａ，２５ｂ  両端、２５ｄ  他端面、２６，２７，２６０，２７０  傾斜係止部、
２８  水平設置面、５２  傾斜状溝、５２ａ  上面上端、５３  水平係止面、
５３ａ，５４ａ  終端面、５４  水平支持面、θ１  角度、θ２，θ３  傾き角度、
θ４  傾斜角度、Ａ，Ｂ，Ｃ，Ｄ，Ｅ，Ｆ  軸、Ｇ  水平線、Ｈ１，Ｈ２  断面の高さ、Ｈ３，Ｈ４  幅、Ｘ  所望空間。
【図１】
2009108528.tif 000003
【図２】
2009108528.tif 000004
【図３】
2009108528.tif 000005
【図４】
2009108528.tif 000006
【図５】
2009108528.tif 000007
【図６】
2009108528.tif 000008
【図７】
2009108528.tif 000009
【図８】
2009108528.tif 000010
【図９】
2009108528.tif 000011
【図１０】
2009108528.tif 000012
【図１１】
2009108528.tif 000013
【図１２】
2009108528.tif 000014
【図１３】
2009108528.tif 000015